(57)【要約】【課題】照明装置の向きを円滑に変更することができる照明装置を提供する。【解決手段】光源を備える照明器具本体と、照明器具本体を支持する支持具とを有する照明装置であって、照明器具本体は球状部分を備えており、支持具は、第１受部と、第２受部と、第１受部及び第２受部を固定するアームとを含み、アームは、照明器具本体の球状部分を第１受部と第２受部とで挟みこんで照明器具本体の球状部分を支持する形状であり、照明器具本体と第１受部とは、軸で支持されておらず、照明器具本体と第２受部とは、軸で支持されていない照明装置。【選択図】図１
2020098758.tif 000002
【特許請求の範囲】
【請求項１】
光源を備える照明器具本体と、照明器具本体を支持する支持具とを有する照明装置であって、
照明器具本体は球状部分を備えており、
支持具は、第１受部と、第２受部と、第１受部及び第２受部を固定するアームとを含み、
アームは、照明器具本体の球状部分を第１受部と第２受部とで挟みこんで照明器具本体の球状部分を支持する形状であり、
球状部分と第１受部とは、軸で支持されておらず、球状部分と第２受部とは、軸で支持されていない照明装置。
【請求項２】
照明器具本体の球状部分の周面には、複数の凹溝が設けられた形状である請求項１に記載の照明装置。
【請求項３】
第１受部又は第２受部は、照明器具本体の球状部分に摺接し、球状部分を回動自在に支えている請求項１又は２に記載の照明装置。
【請求項４】
第１受部又は第２受部は、球状部分に対して接近又は離反する方向に変位させて、球状部分との摩擦抵抗を調節することが可能な螺子を備える請求項１ないし３のいずれかに記載の照明装置。
【発明の詳細な説明】
【技術分野】
【０００１】
本発明は、光源を備える照明器具本体と、照明器具本体を支持する支持具とを有する照明装置に関する。
【背景技術】
【０００２】
照明器具本体と、支持具とを備えた照明装置としては、例えば、以下の特許文献１や特許文献２に記載されたようなものが既に知られている。
【０００３】
特許文献１の照明装置は、発光素子を納める光源容器と、光源容器の背面に配される電源容器とを備える。電源容器は、支持アームによって、支持される。支持アームと、電源容器とは、ボルトによって螺子止めされている。そして、支持アームは、照明装置の設置面に対して、ボルトによって螺子止めされる。
【０００４】
特許文献２の照明装置は、環状の第１枠体と、環状の第２枠体と、照明器具本体とを有する。照明器具本体は、引用文献２の図２に示されているように、第１枠体に対して、軸支されており、上下方向に回動する。そして、環状の第１枠体は、天井等に固定された環状の第２枠体に、摺動可能な状態で内包されており、水平方向に３６０°回動できるようになっている。
【先行技術文献】
【特許文献】
【０００５】
【特許文献１】特開２０１７-１３９２４２号公報
【特許文献２】特開２０１４-１４３１０３号公報
【発明の概要】
【発明が解決しようとする課題】
【０００６】
特許文献１の照明装置は、支持アームと電源容器とを固定する螺子を第１軸とし、支持アームと接地面とを固定する螺子を第２軸とする。特許文献１の照明装置では、第２軸を中心として電源容器を回転させることにより、照明装置を水平方向に回転させ、第１軸を中心として照明装置を回転させることにより垂直方向に照明装置を回転させる。そして、第１軸及び第２軸の回転を組み合わせることによって、所望の方向に光を照射する構成である。
【０００７】
特許文献２の照明装置は、照明器具本体と第１枠体とを回動可能に支える軸を第１軸とする。第１軸を中心として照明装置を回転させることにより、照明装置を垂直方向に回転させる。この照明装置は、第１枠体を水平方向に回転可能に支持する第２枠体を有する。第１枠体を第２枠体に対して回転させることにより、照明装置を水平方向に回転させる。そして、第１軸における回転と、第１枠体及び第２枠体における回転とを組み合わせることによって、所望の方向に光を照射する構成である。
【０００８】
引用文献１の照明装置、引用文献２の照明装置は、共に、水平方向に対する回転と垂直方向に対する回転とを組み合わせて、照明装置の向きを変更するものである。このような、照明装置では、水平方向及び垂直方向の２つの動作を組み合わせて照明装置の向きを変更するため、照明装置の向きを変更する際の動作がぎこちなくならざるを得なかった。
【０００９】
以上のような問題点に鑑みて、本発明は、照明装置の向きを円滑に変更することができる照明装置を提供することを目的とする。
【課題を解決するための手段】
【００１０】
光源を備える照明器具本体と、照明器具本体を支持する支持具とを有する照明装置であって、照明器具本体は球状部分を備えており、支持具は、第１受部と、第２受部と、第１受部及び第２受部を固定するアームとを含み、アームは、照明器具本体の球状部分を第１受部と第２受部とで挟みこんで照明器具本体の球状部分を支持する形状であり、照明器具本体と第１受部とは、軸で支持されておらず、照明器具本体と第２受部とは、軸で支持されていない照明装置である。
【００１１】
上記の照明装置では、照明器具本体は球状部分を備えており、この球状部分を第１受部と第２受部とによって、把持して支える構造となっている。このため、第１受部及び第２受部に対して、照明器具本体の球状部分を任意の方向に、摺動により回動させることによって、照明器具本体の向きを自由に変更することができる。
【００１２】
上記の照明装置において、照明器具本体の球状部分の周面には、複数の凹溝が設けられた形状とすることが好ましい。球状部分の周面に凹溝を設けた形状とすることによって、球状部分の表面積を増大させることができる。すなわち、球状部分に放熱フィンの機能を持たせることによって、別途、放熱フィンを設ける必要がなくなる。これによって、照明装置を小型化することが可能になる。
【００１３】
上記の照明装置において、第１受部又は第２受部は、照明器具本体の球状部分に摺接し、球状部分を回動自在に支える構成とすることが好ましい。これによって、照明器具本体の球状部分を安定して支えることが可能になる。
【００１４】
上記の照明装置において、第１受部又は第２受部は、球状部分に対して接近又は離反する方向に変位させて、球状部分との摩擦抵抗を調節することが可能な螺子を備える構成とすることが好ましい。螺子を球状部分に接近又は離反させることによって、球状部分が回動する際の抵抗を変更することが可能になる。
【発明の効果】
【００１５】
本発明によれば、照明装置の向きを円滑に変更することができる照明装置を提供することが可能である。
【図面の簡単な説明】
【００１６】
【図１】第１実施形態の照明装置を示す斜視図である。
【図２】図１のＡ部分における断面図である。
【図３】図１の照明装置の照明器具本体を回動させた状態を示す斜視図である。
【図４】図１の照明装置を取り付けた状態を示す図である。
【図５】第２実施形態の照明装置示す斜視図である。
【図６】図５のＢ部分における断面図である。
【図７】図５の照明装置の照明器具本体を回動させた状態を示す斜視図である。
【図８】第３実施形態の照明装置示す斜視図である。
【図９】図８のＣ部分における断面図である。
【図１０】図８の照明装置の照明器具本体を回動させた状態を示す斜視図である。
【図１１】第１受部及び第２受部の他の例を示す斜視図である。
【発明を実施するための形態】
【００１７】
以下、図面を参照しつつ、照明装置の実施形態として第１実施形態に係る照明装置１、第２実施形態に係る照明装置１ｂ、及び第３実施形態に係る照明装置１ｃについて説明する。
【００１８】
［第１実施形態］
本実施形態の照明装置１は、図１及び図２に示したように、照明器具本体１１と、照明器具本体１１を支持する支持具１４とを有する。まず、照明器具本体１１の構成を説明し、その後、支持具１４の構成を説明する。
【００１９】
［照明器具本体］
照明器具本体は、光源と、照明器具本体を支持する球状部分を備える構成であればよい。図１及び図２の照明器具本体１１は、光源として、図２に示したように、ＬＥＤ素子１１１と、ＬＥＤ素子１１１から照射された光を反射させる反射鏡１１２と、反射鏡１１２の端部に固定されたレンズ１３３とを有する。図２の例では、ＬＥＤ素子１１１は、ＬＥＤ素子が基盤の上に直接載せられたチップオンボードＬＥＤ（ＣＯＤ  ＬＥＤ）を使用している。反射鏡１１２は、一端と他端とに開口が設けられた円錐台状筒を使用している。筒の内面は、金属の蒸着などにより反射面とされており、入射した光を反射させる。レンズ１３３は、反射鏡１１２やＬＥＤ素子１１１から入射した光を集光させて、所望の範囲を照らすために配置している。図１及び図２の例では、光源は、球状部分に内蔵されている。
【００２０】
球状部分は、後述する支持具の第１受部と第２受部とによって挟み込んで支持し、回動させるのに適した形状であればよく、その具体的な形状は真球に限定されない。図１及び図２の照明器具本体１１では、光を照射する正面部と、正面部の反対側に位置する背面部を除く、ほぼ全体が球状部分１１６となっている。そして、球状部分１１６の周面には、図１に示したように、正面部から背面部に沿う方向（以下、前後方向と称する。）に延びる複数の凹溝１１４が平行に延びる形状となっている。凹溝１１４が設けられていない部分は、前後方向に延びる複数の突条１１５となっている。すなわち、凹溝１１４と突条１１５が交互に配されている。図２に示したように、個々の突条１１５は、前後方向に沿って切断した断面において、略円弧状である。複数の突条１１５の先端部によって、照明器具本体１１の外形が略球状に形作られている。すなわち、複数の突条１１５によって、光源を内蔵する照明器具本体１１の略球形の筐体が構成されている。
【００２１】
図２に示したように、球状部分１１６には、背面部に向かって窪んだ凹穴１１７が設けられている。凹穴１１７は、正面視において円形であり、円柱形状をしている。凹穴１１７は、底部の壁１１８と、正面視において円形に配された側壁１１９によって囲まれた空間となっている。この空間に、上述したレンズ１３３、反射鏡１１２、及びＬＥＤ素子１１１が収納されている。具体的には、底部の壁１１８に接するようにＬＥＤ素子１１１が配置されており、ＬＥＤ素子１１１は、固定具１２０によって、底部の壁１１８に対して固定される。固定具１２０は、正面視において、中央に貫通孔を有する円環状の板材である。貫通孔からＬＥＤ素子１１１が露出する状態で固定具１２０と壁１１８との間にＬＥＤ素子１１１を配置して、固定具１２０とを壁１１８とを螺子により連結する。底部の壁１１８、側壁１１９、及び複数の突条１１５は、一体に成形されたアルミニウムなどの金属で構成されている。このため、ＬＥＤ素子１１１から発せられた熱は、壁１１８、側壁１１９、複数の突条１１５を経て、大気中に拡散する。このように、壁１１８、及び側壁１１９は、ヒートシンクとして機能し、複数の突条１１５は、放熱フィンとして機能する。
【００２２】
凹穴１１７には、図２に示したように、レンズ１３３及び反射鏡１１２を支えるための支持部材１３０が嵌められている。支持部材１３０は、反射鏡を内包できる寸法を有する筒状体であり、基端部はＬＥＤ素子１１１の固定具１２０に接触し、先端部には、レンズ１３３及び反射鏡を支える突起１３１が配されている。突起１３１は、支持部材１３０の内周面に配されるフランジ状である。反射鏡１１２は、その先端部分の外周部が突起１３１の先端に接するようにして支持される。突起１３１は、半径方向内側に突出するフランジ状である。レンズは、突起１３１の上に載せられて支持される。支持部材１３０は、突起１３１よりも先端よりの先端部の内周面に、筒状体１３２を固定するための螺子部を有している。筒状体１３２の外周面に設けられた対応する螺子部を支持部材１３０の螺子部に螺合させることより、筒状体１３２の下端部でレンズ１３３が抑えられ、支持部材１３０と、反射鏡１１２と、レンズ１３３とが一体化される。
【００２３】
上記の固定具１２０と上記の支持部材１３０との間には、両者を着脱可能に固定するための永久磁石１５９が配されている。本実施形態では、永久磁石としてネオジウム磁石を使用している。支持部材１３０には、永久磁石１５９を収納するための窪みが設けられている。窪みに永久磁石は接着剤や螺子留めなどの適宜の手段により固定されている。固定具は、鉄などの磁性体で構成されているため、永久磁石１５９を備えた支持部材１３０を含む部材を着脱可能に固定することができる。
【００２４】
本実施形態の照明装置１では、支持部材１３０と上記の側壁１１９とを連通する螺子穴に対して螺子１６０を螺合させている。上述の通り、支持部材１３０と固定具１２０とは、永久磁石１５９によって着脱可能に固定されている。磁力による固定では、外力によって、支持部材１３０を含む部材が意図せずに脱落する可能性がある。そこで、上記の螺子１６０によって、支持部材１３０が意図せずに脱落することを防止している。
【００２５】
図２に示したように、球状部分１１６の背面部にも背面視において円形の凹穴１２１が設けられる。凹穴１２１も円柱状の穴となっている。底部の壁１１８は、正面部に設けられた円形の凹穴１１７と共通している。背面部の凹穴１２１は、背面視において円形に配される側壁１２２によって囲まれた空間となっている。この空間には、排熱装置１２４として、ファン及び駆動部１２５と、ファン及び駆動部を制御する基板１２６と、カバー１２７とが納められている。駆動部は小型モーターであり、駆動部とファンとはユニット化されている。
【００２６】
図２に示したように、基板１２６は、底部の壁１１８に螺合された一対の第１螺子１２８の間に挟んで支持する。第１螺子１２８の上にファン及び駆動部１２５と、カバー１２７とを載せて、第１螺子１２８の上端部に設けられた螺子穴に、第２螺子１２９を螺合させて、ファン及び駆動部１２５とカバー１２７とを、背面部の凹穴１２１に対して固定する。
【００２７】
背面側の凹穴１２１の側壁１２２は、正面側の凹穴１１７の側壁１１９、底部の壁１１８、及び複数の突条１１５と一体に成形されている。複数の突条１１５の基端部は、正面側の凹穴の側壁１１９と背面側の凹穴の側壁１２２とから球の外側へと突出する形状である。背面側の凹穴１２１の側壁１２２には、側壁１２２を貫通する通気孔１２３が、側壁１２２の内周面に沿って設けられている。この通気孔１２３は、背面部の凹穴１２１と、複数の突条１１５の間の空間とを連通させる。このため、排熱装置１２４を稼働させると、背面部から強制的に取り入れられた外気が、底部の壁１１８、側壁１２２に接触して、熱交換する。熱を帯びた空気は、通気孔１２３を経て、さらに側壁１１９、及び複数の突条１１５の熱を吸収しながら、照明装置１の外へと排出される。本実施形態の照明装置１では、球状部分１１６に光源、光源に関連する部材、及び排熱装置が内蔵されており、球状部分が放熱フィンとして機能するので、コンパクトである。
【００２８】
光源の構成や、光源を固定する方法は、上記の例に限定されず、例えば、発光素子として、表面実装型ＬＥＤ（ＳＭＤ型ＬＥＤ）を使用してもよいし、白熱球を使用してもよいし、反射鏡、支持部材、固定具等は省略又は構成を変更してもよい。また、例えば、レンズを複数枚使用してもよい。また、排熱装置の有無、通気孔の有無、それらの具体的構成も特に限定されない。例えば、排熱装置、それを設置するための背面部の凹穴１２１、又は通気孔などは省略してもよい。
【００２９】
［支持具］
支持具は、第１受部と、第２受部と、第１受部及び第２受部を固定するアームを含んでおり、アームは、照明器具本体の球状部分を第１受部と第２受部とで挟み込んで照明器具本体の球状部分を支持する形状であればよい。
【００３０】
本実施形態では、支持具１４は、図２に示したように、第１受部１４１と、第２受部１４２と、第１受部１４１及び第２受部１４２を固定するアーム１４３を含んでおり、アーム１４３は、照明器具本体１１の球状部分１１６を第１受部１４１と第２受部１４２とで挟み込んで照明器具本体１１の球状部分１１６を支持する形状となっている。
【００３１】
図２に示したように、照明器具本体１１の球状部分１１６と第１受部１４１とは、軸などで支持されておらず、同様に、照明器具本体１１の球状部分１１６と第２受部１４２とは、軸などで支持されていない。球状部分１１６は、第１受部１４１と第２受部１４２とで挟み込んで、支持されている状態となっている。
【００３２】
アーム１４３は、球状部分を第１受部と第２受部とで挟み込むことができるものであればよい。本実施形態のアーム１４３は、第１受部１４１と第２受部１４２とを先端部の内側に備えた一本の剛性体である金属板で構成される。この金属板は、球状部分を内包するのに足りる間隔を空けて配置される第１腕１４４及び第２腕１４５と、第１腕１４４の端部と第２腕１４５の端部を接続する基部１４６とからなる。基部１４６と第１腕１４４又は第２腕１４５との接続部分は、ラウンド形状となっている。アーム１４３は、全体としてＵ字状に構成されている。そして、第１腕１４４と第２腕１４５の先端部の内側に第１受部１４１と第２受部１４２とがそれぞれ配置されている。基部１４６の中ほどには、貫通孔１４７が配されている。支持具１４を、壁や天井などの構造物に固定する際には、図４に示したように、貫通孔１４７に螺子８を挿通して、壁や天井に照明装置１を固定することができる。図４には示していないが、照明装置１のアーム１４３を固定するためのレールを備える部材を介して天井や壁に対して、照明装置１を固定してもよい。また、図４には示していないが、照明装置には、電力を供給するコード類を接続してもよい。
【００３３】
アームは、球状部分を第１受部と第２受部とで挟み込んで、球状部分を支える剛性を備えており、第１受部と第２受部との間に球状部分を押し込む際に、第１受部と第２受部との間隔が広がるように変形し、球状部分を嵌めた後は元の形状に戻る程度の弾性を備える素材で構成することが好ましい。たとえば、定型性と弾性変形する性質を備える金属やプラスチックで構成することができる。アームは、例えば、板材を曲げて構成することが好ましい。
【００３４】
第１受部と第２受部は、球状部分を挟み込んで支持できるものであればよい。図２の例では、第１受部１４１及び第２受部１４２は、球状部分１１６に摺接するカップから構成される。カップは、図２に示したように、円形の板材から構成される基部１４８と、基部１４８から支持具１４の内側に突出する円形の縁１４９とを有する。カップの縁１４９は、円形であり、円環部１５０を構成する。円環部１５０は球状部分１１６に線状に接触するため、比較的に小さい力で球状部分１１６を円環部１５０に対して摺動させて、球状部分１１６の向きを自由に変更することができる。これによって、図３に示したように、固定された支持具１４に対して自由に照明器具本体１１を回動させることができる。
【００３５】
支持具１４と照明器具本体１１とは、軸によって固定されておらず、摺動によって固定されているので、全方向に対して、円滑に回転させることが可能である。円環部は、線接触しているので、球状部分１１６に対する接触面積が小さいため、比較的に小さい力で球状部分１１６を回転させることができる。球状部分１１６には、複数の凹溝１１４が設けられているため、球状部分１１６と第１受部１４１とが接触する面積を小さくして、より円滑な操作感を得ることが可能となっている。また、複数の凹溝１１４が放熱フィンとして機能するため、別途、放熱フィンを設ける必要がないので、照明装置を小型化することができる。
【００３６】
図２の例では、第１受部１４１は、プラスチックで構成されており、基部１４８が第１腕１４４に対して接面した状態で、第１腕１４４と基部１４８とが複数の螺子１５１によって固定されている。第２受部１４２も、プラスチックで構成されており、基部１４８が第２腕１４５に対して接面した状態で、第２腕１４５と基部１４８とが複数の螺子１５１によって固定されている。
【００３７】
第１受部及び第２受部の構成は、図２の構成に限定されず、例えば、球状部分の外形に添って湾曲する球状の面を有するパッドとしてもよい。また、図１１に示したように、第１受部１４１ｄ及び第２受部１４２ｄを備えるようにアーム１４ｄの構成を変更してもよい。図１１の例では、円形の縁１４９ｄに間欠的に切り欠き１５７を設けて、円環部１５０ｄが複数の球状部分１１６に沿う線に分断されている。なお、図１のアーム１４と共通する構成については、図１と同様の符号を使用した。
【００３８】
［第２実施形態］
第２実施形態の照明装置１ｂでは、図５ないし７に示したように、照明器具本体の構成は、後述する透光部１６１及び支持部材１３０ｂを除いて、第１実施形態に係る照明器具本体と同様の構成であり、支持具１４ｂの構成が第１実施形態に係る照明装置１とは異なる。図５ないし図７においては、第１実施形態と同様の構成を有する部材には、図１ないし図４で使用したのと同様の符号を使用した。
【００３９】
［支持具］
本実施形態では、支持具１４ｂは、図５及び図６に示したように、第１受部１４１ｂと、第２受部１４２ｂと、第１受部１４１ｂ及び第２受部１４２ｂを固定するアーム１４３ｂを含んでおり、アーム１４３ｂは、照明器具本体１１の球状部分１１６を第１受部１４１ｂと第２受部１４２ｂとで挟み込んで照明器具本体１１の球状部分１１６を支持する形状となっている。
【００４０】
アーム１４３ｂは、第１受部１４１ｂと第２受部１４２ｂとを先端部の内側に備えた一本の剛性体である金属板で構成される。この金属板は、球状部分を内包するのに足りる間隔を空けて配置される第１腕１４４ｂ及び第２腕１４５ｂと、第１腕１４４ｂの端部と第２腕１４５ｂの端部を接続する基部１４６ｂとからなる。基部１４６ｂと第１腕１４４ｂ又は第２腕１４５ｂとの接続部分は、ラウンド形状となっている。アーム１４３ｂは、全体としてＵ字状に構成されている。そして、第１腕１４４ｂと第２腕１４５ｂの先端部の内側に第１受部１４１ｂと第２受部１４２ｂとがそれぞれ配置されている。基部１４６ｂの中ほどには、貫通孔１４７ｂが配されている。
【００４１】
図６の例では、第１受部１４１ｂ及び第２受部１４２ｂは、球状部分１１６に摺接する貫通孔から構成される。貫通孔は、図６に示したように、第１腕１４４ｂ又は第２腕１４５ｂを貫通する円形の孔であり、円形の縁１４９ｂを有する。円形の縁１４９ｂは、円環部１５０ｂを構成する。円環部１５０ｂは球状部分１１６に線状に接触するため、比較的に小さい力で球状部分１１６を円環部１５０ｂに対して摺動させて、球状部分１１６の向きを自由に変更することができる。これによって、図７に示したように、固定された支持具１４ｂに対して自由に照明器具本体１１を回動させることができる。
【００４２】
［照明器具本体］
以下では、上記実施形態に係る照明器具１と異なる部分のみ説明する。本実施形態の照明装置１ｂでは、支持部材１３０ｂとして、上記の突起１３１を省略したものを使用している。そして、反射鏡１１２及びレンズ１３３を省略し、代わりに、ガラスやアクリル樹脂などの透明な素材で構成される透光部１６１を使用している。透光部１６１は、円錐台形状であり、ＬＥＤ素子１１１に対向する部分に上面が位置する。上面には円錐台形状の窪みを有する。透光部１６１の底面には、凹凸が形成されており、ＬＥＤ素子１１１から透光部１６１に入射する光を拡散させて、投射するように構成されている。なお、円錐台形状の上面とは下面に比して面積の小さい円が位置する部分であり、円錐台形状の下面とは上面に比して面積の大きい円が位置する部分である。
【００４３】
透光部１６１には、光軸に交差する方向に突出するフランジ状の突起１６２を有する。筒状体１３２の下端部が突起１６２に接触するように構成されている。筒状体１３２を支持部材１３０ｂの内周面に設けられた螺子部に螺合させることによって、筒状体１３２の下端部で透光部１６１の突起１６２を押さえて、透光部１６１と、支持部材１３０ｂと、筒状体１３２とを一体化させている。
【００４４】
［第３実施形態］
第３実施形態の照明装置１ｃは、その基本的な構成は、第１実施形態の照明装置１と同様であり、球状部分を回動させる際の力を調節することができる機構を備える点が相違する。図８ないし図１０においては、第１実施形態と同様の構成を有する部材には、図１ないし図４で使用したのと同様の符号を使用した。
【００４５】
第３実施形態では、図８及び図９に示したように、支持具は、第１受部１４１ｃと、第２受部１４２ｃと、第１受部１４１ｃ及び第２受部１４２ｃを固定するアーム１４３ｃを含んでおり、アーム１４３ｃは、照明器具本体１１の球状部分１１６を第１受部１４１ｃと第２受部１４２ｃとで挟み込んで照明器具本体１１の球状部分１１６を支持する形状となっている。
【００４６】
アーム１４３ｃは、第１受部１４１ｃと第２受部１４２ｃとを先端部の内側に備えた一本の剛性体である金属板で構成される。この金属板は、球状部分を内包するのに足りる間隔を空けて配置される第１腕１４４ｃ及び第２腕１４５ｃと、第１腕１４４ｃの端部と第２腕１４５ｃの端部を接続する基部１４６ｃとからなる。基部１４６ｃと第１腕１４４ｃ又は第２腕１４５ｃとの接続部分は、ラウンド形状となっている。アーム１４３ｃは、全体としてＵ字状に構成されている。そして、第１腕１４４ｃと第２腕の先端部の内側に第１受部１４１ｃと第２受部１４２ｃとがそれぞれ配置されている。基部１４６ｃの中ほどには、貫通孔１４７ｃが配されている。
【００４７】
第１受部１４１ｃ及び第２受部１４２ｃは、球状部分１１６に摺接するカップから構成される。カップは、図９に示したように、円形の板材から構成される基部１４８ｃと、基部１４８ｃからアーム１４３ｃの内側に突出する円形の縁１４９ｃとを有する。カップの縁１４９ｃは、円形であり、円環部１５０ｃを構成する。円環部１５０ｃは球状部分１１６に線状に接触するため、比較的に小さい力で球状部分１１６を円環部１５０ｃに対して摺動させて、球状部分１１６の向きを自由に変更することができる。これによって、図１０に示したように、固定された支持具１４ｃに対して自由に照明器具本体１１を回動させることができる。
【００４８】
第１受部１４１ｃは、プラスチックで構成されており、基部１４８ｃが第１腕１４４ｃに対して接面した状態で、第１腕１４４ｃと基部１４８ｃとが複数の螺子１５１ｃによって固定されている。第２受部も、プラスチックで構成されており、基部１４８ｃが第２腕１４５ｃに対して接面した状態で、第２腕１４５ｃと基部１４８ｃとが複数の螺子１５１ｃによって固定されている。
【００４９】
第１受部１４１ｃは、図９に示したように、球状部分に対して接近又は離反する方向にさせることができる螺子１５２を備えている。螺子１５２を球状部分１１６に接近するように捩じ込むことで、球状部分１１６と第１受部１４１ｃとの摩擦係数を増大させて、球状部分の回動を規制したり、回動操作を重くすることができる。螺子１５２を球状部分から離反する方向に退避させることで、球状部分１１６と第１受部１４１ｃとの摩擦係数を減少させて、球状部分の回動規制を解除したり、回動操作を軽くすることができる。第２受部１４２ｃもまた、螺子１５２を備えており、同様の操作により同様の効果を奏する。
【００５０】
図９の例では、アーム１４３ｃの先端部分と、第１受部１４１ｃと、後述する規制部材1５３とに、それぞれを連通する貫通孔が設けられており、この貫通孔に対して螺子１５２が螺合されている。螺子１５２の先端部が球状部分１１６に直接接触して傷などをつけないようにシート状の緩衝材１５４と、緩衝材１５４を第１受部１４１ｃに固定するための固定具１５５とが、第１受部１４１ｃに設けられている。緩衝材は、螺子１５２の先端部を覆うように第１受部１４１ｃの基部１４８ｃに対して接面するように配置される。固定具１５５は、中央に貫通孔が設けられた環状体であり、緩衝材１５２に接面するように配され、螺子によって、第１受部に固定される。固定具１５５の貫通孔からは、螺子が突出できるようになっている。緩衝材１５２は、ゴムなどの弾性体から構成されており、滑り止めとしても機能する。第２受部１４２ｃもまた、同様の構成とされている。
【００５１】
規制部材１５３は、第１受部１４１ｃの反対側に設けられており、アームの先端部分に接面するように固定される。規制部材は、アーム１４３ｃに設けた貫通孔と連通する貫通孔を中ほどに備える。貫通孔の周辺には、貫通孔に向かって下り勾配となる傾斜面から構成される規制部１５６が貫通孔の全周に配される。螺子１５２を捩じ込むと、螺子１５２の下端が規制部１５６に接触して、螺子の過剰な捩じ込みが防止される。これによって、球状部分の損傷や、第１受部１４１ｃの周辺部材の損傷が防止される。第２受部１４２ｃもまた同様の構成とされており、同様の効果を奏する。規制部材１５３の形状は特に限定されないが、図８の例では、円盤状の部材である。
【符号の説明】
【００５２】
１１      照明器具本体
１４      支持具
１４ｂ    支持具
１４ｃ    支持具
１１６    球状部分
１４１    第１受部
１４１ｂ  第１受部
１４１ｃ  第１受部
１４２    第２受部
１４２ｂ  第２受部
１４２ｃ  第２受部
１４３    アーム
１４３ｂ  アーム
１４３ｃ  アーム
１１４    凹溝
１５２    螺子
【図１】
2020098758.tif 000003
【図２】
2020098758.tif 000004
【図３】
2020098758.tif 000005
【図４】
2020098758.tif 000006
【図５】
2020098758.tif 000007
【図６】
2020098758.tif 000008
【図７】
2020098758.tif 000009
【図８】
2020098758.tif 000010
【図９】
2020098758.tif 000011
【図１０】
2020098758.tif 000012
【図１１】
2020098758.tif 000013